【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
複数の画素を備え、
前記複数の画素のそれぞれは、
入射光を光電変換し電気信号を生成する光電変換部と、
ゲートが前記光電変換部に電気的に接続され、前記電気信号を増幅する第１トランジスタと、
ソースおよびドレインの一方、およびゲートが前記光電変換部に電気的に接続された第２トランジスタと、を有し、
前記第２トランジスタのソースおよびドレインの他方に、２以上の異なる値の電圧が印加される、撮像装置。
【請求項２】
前記電気信号が、前記第２トランジスタのソースおよびドレインの前記一方から、前記第２トランジスタのゲートに、前記第１トランジスタを介さずに負帰還される、請求項１に記載の撮像装置。
【請求項３】
前記第２トランジスタのソースおよびドレインは、前記第１トランジスタのソースおよびドレインに電気的に接続されない、請求項１または請求項２に記載の撮像装置。
【請求項４】
前記複数の画素のそれぞれは、前記第１トランジスタの出力を、前記画素の外部に選択的に出力する第３トランジスタをさらに備える、請求項１から請求項３のいずれか一項に記載の撮像装置。
【請求項５】
前記複数の画素のそれぞれは、
前記第２トランジスタのソースおよびドレインの前記一方に電気的に接続された第１容量素子と、
前記光電変換部と、前記第２トランジスタのソースおよびドレインの前記一方と、に電気的に接続された第２容量素子と、
をさらに備える、請求項１から４のいずれか一項に記載の撮像装置。
【請求項６】
前記第１容量素子と前記第２容量素子とは、前記光電変換部と第１基準電圧との間に配置されている、請求項５に記載の撮像装置。
【請求項７】
前記第１容量素子の容量は、前記第２容量素子の容量よりも大きい、請求項５または請求項６に記載の撮像装置。
【請求項８】
複数の画素を備え、
前記複数の画素のそれぞれは、
入射光を光電変換し電気信号を生成する光電変換部と、
ゲートが前記光電変換部に電気的に接続され、前記電気信号を増幅する第１トランジスタと、
ソースおよびドレインの一方、およびゲートが前記光電変換部に電気的に接続された第２トランジスタと、
前記第２トランジスタのソースおよびドレインの前記一方に電気的に接続された第１容量素子と、
前記光電変換部と、前記第２トランジスタのソースおよびドレインの前記一方と、に電気的に接続された第２容量素子と、
を有する撮像装置。
【請求項９】
前記電気信号が、前記第２トランジスタのソースおよびドレインの前記一方から、前記第２トランジスタのゲートに、前記第１トランジスタを介さずに負帰還される、請求項８に記載の撮像装置。
【請求項１０】
前記第２トランジスタのソースおよびドレインは、前記第１トランジスタのソースおよびドレインに電気的に接続されない、請求項８または請求項９に記載の撮像装置。
【請求項１１】
前記複数の画素のそれぞれは、前記第１トランジスタの出力を、前記画素の外部に選択的に出力する第３トランジスタをさらに備える、請求項８から請求項１０のいずれか一項に記載の撮像装置。
【請求項１２】
前記第１容量素子と前記第２容量素子とは、前記光電変換部と基準電圧との間に配置されている、請求項８から請求項１１のいずれか一項に記載の撮像装置。
【請求項１３】
前記第１容量素子の容量は、前記第２容量素子の容量よりも大きい、請求項８から請求項１２のいずれか一項に記載の撮像装置。
【請求項１４】
前記複数の画素のそれぞれは、
前記電気信号を蓄積する電荷蓄積部と、
ソースおよびドレインの一方が前記電荷蓄積部に電気的に接続された第４トランジスタと、をさらに備える、請求項１から請求項１３のいずれか一項に記載の撮像装置。
【請求項１５】
前記第４トランジスタのソースおよびドレインの他方は、前記第２トランジスタのソースおよびドレインの前記一方に電気的に接続される、請求項１４に記載の撮像装置。
【請求項１６】
前記第４トランジスタのソースおよびドレインの他方は、前記第２トランジスタのソースおよびドレインの前記他方に電気的に接続される、請求項１４に記載の撮像装置。
【請求項１７】
前記第４トランジスタのソースおよびドレインの他方は、第２基準電圧に接続される、請求項１４に記載の撮像装置。

【手続補正２】
【補正対象書類名】明細書
【補正対象項目名】０２３４
【補正方法】変更
【補正の内容】
【０２３４】
図３３および図３４は、読み出し回路５０Ｅの、他の例示的な回路構成を模式的に示している。図３３に示されるように、スイッチトランジスタ４０１のソースおよびドレインの一方がＦＤに接続され、スイッチトランジスタ４０１のソースおよびドレインの他方が第６の制御信号線ＣＯＮ６に接続されていてもよい。この構成により、第４の基準電圧ＶＲ４を印加することなくリセットを実行でき、図３０に示す構成と同様の効果が得られる。
【手続補正３】
【補正対象書類名】明細書
【補正対象項目名】０２４４
【補正方法】変更
【補正の内容】
【０２４４】
１      光検出器
１Ａ    有機光電膜
１Ｂ    フォトダイオード
２、２Ａ、２Ｂ    増幅器
３、３’    帯域制御部
３Ａ、３Ｂ  帯域制御回路
４Ａ    リセット回路
４Ｂ    スイッチ部
５、５Ｂ、５Ｃ    出力選択部
６、８、１４４    定電流源
７    信号読み出しライン
９    第１の容量素子
１０  第２の容量素子
１１    第１のスイッチ素子
１２    第２のスイッチ素子
１３    第３のスイッチ素子
１４    第４のスイッチ素子
２０、４０    切替回路
３０、３０’    フィードバック回路
５０Ａ、５０Ｂ、５０Ｂ’、５０Ｃ、５０Ｃ’、５０Ｄ、５０Ｅ    読み出
し回路
１００    撮像装置
１１０Ａ、１１０Ｂ、１１０Ｃ、１１０Ｄ、１１０Ｅ    単位画素セル
１２０    電源配線
１３０    蓄積制御線
１４１    垂直走査回路
１４２    カラム信号処理回路
１４３    水平信号読み出し回路
１７０    垂直信号線
１８０    水平信号共通線
２００    第１の増幅トランジスタ
２０１    第２の増幅トランジスタ
２０２    第３の増幅トランジスタ
２０３    第４の増幅トランジスタ
３００    第１の帯域制御トランジスタ
３０１    第２の帯域制御トランジスタ
４００    リセットトランジスタ
４０１    スイッチトランジスタ
５００    第１の選択トランジスタ
５０１    第２の選択トランジスタ
５０２    第３の選択トランジスタ
５０３    第４の選択トランジスタ
６００    カメラシステム
６０１    レンズ光学系
６０２    固体撮像装置
６０３    システムコントローラ
６０４    信号処理部
ＣＯＮ１、ＣＯＮ３    帯域制御信号線
ＣＯＮ２    リセット制御信号線
ＣＯＮ４    第４の制御信号線
ＣＯＮ５    第５の制御信号線
ＣＯＮ６    第６の制御信号線
ＣＯＮ７    第７の制御信号線
ＣＯＮ８、ＣＯＮ９    選択制御信号線    ＦＤ  電荷蓄積部
ＲＤ  画素内ノード
Ｖｐ  基準電圧／制御電圧
ＶＲ１、ＶＲ２、ＶＲ３、ＶＲ４  基準電圧／制御電圧源
ＶＡ１、ＶＡ２、ＶＢ１、ＶＢ２  基準電圧／制御電圧源
Ｖ１、Ｖ２、Ｖ３、Ｖ４    制御信号